(57)【要約】  衛星測位システム（ＳＰＳ）信号の収集のための信号探索空間を決定するための方法、デバイスおよびシステムが開示される。たとえば、地上波ベース送信デバイスによって送信された信号が、少なくとも部分的に、ＳＰＳ信号の収集のための受信機を調整するために使用するために収集され得る。地上波ベース送信デバイスは、収集された信号から取得されるファクタに少なくとも部分的に基づいて分類され得る。受信機のためのＳＰＳ信号探索空間が、次いで、前記送信デバイスの分類に対応する周波数不確実性に少なくとも部分的に基づき得る。【特許請求の範囲】
【請求項１】
モバイルデバイスにおいて、
地上波ベース送信デバイスによって送信された信号を収集することと、
前記収集された信号から取得される１つまたは複数のファクタに少なくとも部分的に基づいて、前記地上波ベース送信デバイスの分類を決定することと、
前記地上波ベース送信デバイスの前記分類に対応する周波数不確実性に少なくとも部分的に基づいて、受信機のための衛星測位システム（ＳＰＳ）信号探索空間を決定することと
を備える、方法。
【請求項２】
前記１つまたは複数のファクタが、（ｉ）前記収集された信号中で符号化された指示、または（ｉｉ）前記収集された信号の測定された信号特性、または（ｉｉｉ）（ｉ）および（ｉｉ）の組合せに少なくとも部分的に基づく、請求項１に記載の方法。
【請求項３】
前記１つまたは複数のファクタがシンボルまたは値を備え、ここにおいて、前記地上波ベース送信デバイスの分類を決定することは、前記シンボルまたは値が、地上波ベース送信デバイスの特定の分類に割り振られたシンボルまたは値の範囲内にあるかどうかを決定することをさらに備える、請求項１に記載の方法。
【請求項４】
前記シンボルまたは値が物理セル識別子（ＰＣＩ）を備える、請求項３に記載の方法。
【請求項５】
前記地上波ベース送信デバイスの前記分類が、複数の異なる予想される送信機デバイス品質レーティングに対応する複数の分類から選択される、請求項１に記載の方法。
【請求項６】
前記地上波ベース送信デバイスに対応する予想される送信機デバイス品質レーティングが減少するにつれて、前記周波数不確実性が増加する、請求項５に記載の方法。
【請求項７】
前記地上波ベース送信デバイスの前記分類が、ワイドエリア基地局分類、ミディアムレンジ基地局分類、ローカルエリア基地局分類、フェムト基地局分類、非フェムト基地局分類、または未知の基地局分類のうちの１つまたは複数を備える分類のグループから選択される、請求項１に記載の方法。
【請求項８】
前記モバイルデバイスにおいて、前記ＳＰＳ信号探索空間に少なくとも部分的に基づいて、前記受信機を介して少なくとも１つのＳＰＳ信号の探索を開始することをさらに備える、請求項１に記載の方法。
【請求項９】
モバイルデバイスにおいて使用するための装置であって、前記装置が、
地上波ベース送信デバイスによって送信された信号を収集するための手段と、
前記収集された信号から取得される１つまたは複数のファクタに少なくとも部分的に基づいて、前記地上波ベース送信デバイスの分類を決定するための手段と、
前記地上波ベース送信デバイスの前記分類に対応する周波数不確実性に少なくとも部分的に基づいて、受信機のための衛星測位システム（ＳＰＳ）信号探索空間を決定するための手段と
を備える、装置。
【請求項１０】
前記１つまたは複数のファクタが、（ｉ）前記収集された信号中で符号化された指示、または（ｉｉ）前記収集された信号の測定された信号特性、または（ｉｉｉ）（ｉ）および（ｉｉ）の組合せに少なくとも部分的に基づく、請求項９に記載の装置。
【請求項１１】
前記１つまたは複数のファクタがシンボルまたは値を備え、ここにおいて、前記地上波ベース送信デバイスの分類を決定するための手段は、前記シンボルまたは値が、地上波ベース送信デバイスの特定の分類に割り振られたシンボルまたは値の範囲内にあるかどうかを決定するための手段をさらに備える、請求項９に記載の装置。
【請求項１２】
前記シンボルまたは値が物理セル識別子（ＰＣＩ）を備える、請求項１１に記載の装置。
【請求項１３】
前記地上波ベース送信デバイスの前記分類が、複数の異なる予想される送信機デバイス品質レーティングに対応する複数の分類から選択される、請求項９に記載の装置。
【請求項１４】
前記地上波ベース送信デバイスに対応する予想される送信機デバイス品質レーティングが減少するにつれて、前記周波数不確実性が増加する、請求項１３に記載の装置。
【請求項１５】
前記ＳＰＳ信号探索空間に少なくとも部分的に基づいて、前記受信機を介して少なくとも１つのＳＰＳ信号の探索を開始するための手段をさらに備える、請求項９に記載の装置。
【請求項１６】
地上波ベース送信デバイスによって送信された信号を収集するための通信インターフェースと、
処理ユニットと
を備えるモバイルデバイスであって、前記処理ユニットが、
前記通信インターフェースを介して収集された前記信号から取得される１つまたは複数のファクタに少なくとも部分的に基づいて、前記地上波ベース送信デバイスの分類を決定することと、
前記地上波ベース送信デバイスの前記分類に対応する周波数不確実性に少なくとも部分的に基づいて、受信機のためのＳＰＳ信号探索空間を決定することと
を行うためのものである、モバイルデバイス。
【請求項１７】
前記１つまたは複数のファクタが、（ｉ）前記収集された信号中で符号化された指示、または（ｉｉ）前記収集された信号の測定された信号特性、または（ｉｉｉ）（ｉ）および（ｉｉ）の組合せに少なくとも部分的に基づく、請求項１６に記載のモバイルデバイス。
【請求項１８】
前記１つまたは複数のファクタがシンボルまたは値を備え、ここにおいて、前記処理ユニットは、前記シンボルまたは値が、地上波ベース送信デバイスの特定の分類に割り振られたシンボルまたは値の範囲内にあるかどうかを決定することによって、前記地上波ベース送信デバイスの前記分類を決定するように構成された、請求項１６に記載のモバイルデバイス。
【請求項１９】
前記シンボルまたは値が物理セル識別子（ＰＣＩ）を備える、請求項１８に記載のモバイルデバイス。
【請求項２０】
前記地上波ベース送信デバイスの前記分類が、複数の異なる予想される送信機デバイス品質レーティングに対応する複数の分類から選択される、請求項１６に記載のモバイルデバイス。
【請求項２１】
前記地上波ベース送信デバイスに対応する予想される送信機デバイス品質レーティングが減少するにつれて、前記周波数不確実性が増加する、請求項２０に記載のモバイルデバイス。
【請求項２２】
前記地上波ベース送信デバイスの前記分類が、ワイドエリア基地局分類、ミディアムレンジ基地局分類、ローカルエリア基地局分類、フェムト基地局分類、非フェムト基地局分類、または未知の基地局分類のうちの１つまたは複数を備える分類のグループから選択される、請求項１６に記載のモバイルデバイス。
【請求項２３】
前記処理ユニットが、前記ＳＰＳ信号探索空間に少なくとも部分的に基づいて、前記受信機を介してＳＰＳ信号の少なくとも１つの探索をさらに開始するためのものである、請求項１６に記載のモバイルデバイス。
【請求項２４】
モバイルデバイスの処理ユニットによって実行可能なコンピュータ実装可能命令を記憶した非一時的コンピュータ可読媒体であって、前記コンピュータ実装可能命令が、
地上波ベース送信デバイスによって送信され、前記モバイルデバイスによって収集された信号から取得される１つまたは複数のファクタに少なくとも部分的に基づいて、前記地上波ベース送信デバイスの分類を決定することと、
前記地上波ベース送信デバイスの前記分類に対応する周波数不確実性に少なくとも部分的に基づいて、受信機のための衛星測位システム（ＳＰＳ）信号探索空間を決定することと
を行うためのものである、非一時的コンピュータ可読媒体。
【請求項２５】
前記１つまたは複数のファクタが、（ｉ）前記収集された信号中で符号化された指示、または（ｉｉ）前記収集された信号の測定された信号特性、または（ｉｉｉ）（ｉ）および（ｉｉ）の組合せに少なくとも部分的に基づく、請求項２４に記載の非一時的コンピュータ可読媒体。
【請求項２６】
前記１つまたは複数のファクタがシンボルまたは値を備え、ここにおいて、前記命令は、前記シンボルまたは値が、地上波ベース送信デバイスの特定の分類に割り振られたシンボルまたは値の範囲内にあるかどうかをさらに決定することによって、前記地上波ベース送信デバイスの前記分類を決定するために前記処理ユニットによって実行可能である、請求項２４に記載の非一時的コンピュータ可読媒体。
【請求項２７】
前記シンボルまたは値が物理セル識別子（ＰＣＩ）を備える、請求項２６に記載の非一時的コンピュータ可読媒体。
【請求項２８】
前記地上波ベース送信デバイスの前記分類が、複数の異なる予想される送信機デバイス品質レーティングに対応する複数の分類から選択される、請求項２４に記載の非一時的コンピュータ可読媒体。
【請求項２９】
前記地上波ベース送信デバイスに対応する予想される送信機デバイス品質レーティングが減少するにつれて、前記周波数不確実性が増加する、請求項２８に記載の非一時的コンピュータ可読媒体。
【請求項３０】
前記コンピュータ実装可能命令が、前記ＳＰＳ信号探索空間に少なくとも部分的に基づいて、前記受信機を介して少なくとも１つのＳＰＳ信号の探索を開始するために前記モバイルデバイスの前記処理ユニットによってさらに実装可能であるための、請求項２４に記載の非一時的コンピュータ可読媒体。
【発明の詳細な説明】
【技術分野】
【０００１】
関連出願
本出願は、その全体が参照により本明細書に組み込まれる、２０１４年９月１１日に出願された米国非仮特許出願第１４／４８３，９０６号の優先権を主張するＰＣＴ出願である。
【０００２】
[0001]本明細書で開示する主題は電子デバイスに関し、より詳細には、地上波ベース送信デバイスの決定された分類に対応する周波数不確実性（frequency uncertainty）に少なくとも部分的に基づいて決定される衛星測位システム（ＳＰＳ：satellite positioning system）信号探索空間を使用して、ＳＰＳ信号を探索し、収集することが可能な受信機を有するモバイルデバイスのための方法、装置および製造品に関する。
【背景技術】
【０００３】
情報
[0002]それの名が示すように、モバイルデバイスは、動き回され、たとえば、一般に、ユーザおよび／または場合によっては機械によって搬送され得る。いくつかの非限定的な例として、モバイルデバイスは、セルラー電話、スマートフォン、タブレットコンピュータ、ラップトップコンピュータ、ウェアラブルコンピュータ、ナビゲーションおよび／またはトラッキングデバイスなどの形態をとり得る。
【０００４】
[0003]モバイルデバイスの位置および／または移動は、少なくとも部分的に測位および／またはナビゲーション能力（以下で単に測位能力と呼ばれる）によって決定され得、測位および／またはナビゲーション能力は、モバイルデバイスに搭載されて実装されるか、１つまたは複数の他の電子デバイス中で実装されるか、および／またはそれらの何らかの組合せで実装され得る。いくつかの測位能力は、１つまたは複数の送信デバイスによって送信され、モバイルデバイスによって収集される１つまたは複数のワイヤレス信号に基づき得る。例として、いくつかのワイヤレス信号ベースの測位能力は、たとえば、全地球測位システム（ＧＰＳ）などの衛星測位システム（ＳＰＳ）、他のグローバルナビゲーション衛星システム（ＧＮＳＳ）などから収集されたワイヤレス信号を利用する。ＧＰＳは、たとえば、スペースビークル（ＳＶ：space vehicle）送信機から受信機（たとえば、地上ベースナビゲーション受信機（ground-based navigation receiver）、モバイルデバイスなど）に送信された信号の伝搬遅延の測定に依拠する。そのような伝搬遅延を測定することによって、受信機は、関連する送信ＳＶまでの擬似距離測定値を取得し得る。地球に対する知られている軌道位置においていくつかのＳＶまでのそのような擬似距離測定値を取得することによって、受信機は、たとえば、ナビゲーションソリューションの一部として受信機の推定されたロケーションを計算し得る。
【０００５】
[0004]ＳＶ上の送信機までの擬似距離測定値を取得するために、ＳＰＳ受信機は、特定の知られているフォーマットに従って送信機によって送信されたＳＰＳ信号を収集し得る。少なくとも部分的にＳＰＳと同期したクロックを維持しながら、ＳＰＳ受信機は、収集されたＳＰＳ信号中の時間基準の検出に少なくとも部分的に基づいて伝搬遅延を測定し得る。ＳＰＳ信号の収集を支援するために、２次元ＳＰＳ信号探索空間が、受信されたＳＰＳ信号の時間の不確実性およびキャリア周波数の不確実性によって少なくとも部分的に定義され得る。周波数の不確実性はまた、少なくとも部分的に、相対移動に起因する予想されるドップラーシフト、ならびに収集されたＳＰＳ信号をベースバンド信号にダウンコンバートする際に使用されるべき受信機周波数の精度の不確実性によって、定義され得る。そのような技法などはよく知られている。
【０００６】
[0005]いくつかの実装形態では、ＳＰＳ受信機を備えるモバイルデバイスは、基準周波数として使用されるローカル地上波送信機（たとえば、セルラー基地局など）から収集された信号のキャリア周波数に基づいてまたはそれに従って、ＧＮＳＳ受信機の受信周波数を調整（同調）し得る。ＳＰＳ受信機の受信周波数はそのようなキャリア周波数を基準とし得るので、ＳＰＳ受信機における周波数不確実性は、キャリア周波数の不確実性によって影響を及ぼされ得る。したがって、ＳＰＳ信号探索空間を決定するときにそのような周波数不確実性を考慮することは有用であり得る。
【発明の概要】
【０００７】
[0006]手短に言えば、特定の実装形態は、モバイルデバイスにおける方法を対象とし、本方法は、地上波ベース送信デバイスによって送信された信号を収集することと、前記収集された信号から取得される１つまたは複数のファクタに少なくとも部分的に基づいて、前記地上波ベース送信デバイスの分類を決定することと、前記地上波ベース送信デバイスの前記分類に対応する周波数不確実性に少なくとも部分的に基づいて、受信機のための衛星測位システム（ＳＰＳ）信号探索空間を決定することとを備える。
【０００８】
[0007]別の特定の実装形態は、モバイルデバイスにおいて使用するための装置を対象とし、本装置は、地上波ベース送信デバイスによって送信された信号を収集するための手段と、前記収集された信号から取得される１つまたは複数のファクタに少なくとも部分的に基づいて、前記地上波ベース送信デバイスの分類を決定するための手段と、前記地上波ベース送信デバイスの前記分類に対応する周波数不確実性に少なくとも部分的に基づいて、受信機のためのＳＰＳ信号探索空間を決定するための手段とを備える。
【０００９】
[0008]別の特定の実装形態は、地上波ベース送信デバイスによって送信された信号を収集するための通信インターフェースと、処理ユニットとを備えるモバイルデバイスを対象とし、処理ユニットは、前記通信インターフェースを介して収集された前記信号から取得される１つまたは複数のファクタに少なくとも部分的に基づいて、前記地上波ベース送信デバイスの分類を決定することと、前記送信デバイスの前記分類に対応する周波数不確実性に少なくとも部分的に基づいて、受信機のためのＳＰＳ信号探索空間を決定することとを行うためのものである。
【００１０】
[0009]別の特定の実装形態は、モバイルデバイスの処理ユニットによって実行可能なコンピュータ実装可能命令を記憶した非一時的コンピュータ可読媒体を対象とし、コンピュータ実装可能命令が、地上波ベース送信デバイスによって送信され、前記モバイルデバイスによって収集された信号から取得される１つまたは複数のファクタに少なくとも部分的に基づいて、地上波ベース送信デバイスの分類を決定することと、前記送信デバイスの前記分類に対応する周波数不確実性に少なくとも部分的に基づいて、受信機のためのＳＰＳ信号探索空間を決定することとを行うためのものである。
【００１１】
[0010]上述の実装形態は例示的な実装形態にすぎず、請求される主題は、必ずしもこれらの例示的な実装形態の特定の態様に限定されるとは限らないことを理解されたい。
【００１２】
[0011]以下の図を参照しながら非限定的で非網羅的な態様について説明し、別段の規定がない限り、様々な図の全体を通して、同様の参照番号は同様の部分を指す。
【図面の簡単な説明】
【００１３】
【図１】[0012]例示的な実装形態による、モバイルデバイスと、複数の地上波ベース送信デバイスと、衛星測位システム（ＳＰＳ）とを含む代表的電子デバイスの構成を示す概略ブロック図。
【図２Ａ】[0013]いくつかの例示的な実装形態による、１つまたは複数の収集された信号に基づいて地上波ベース送信デバイスを分類するための、場合によっては、それに少なくとも部分的に基づいてＳＰＳ信号探索空間に影響を及ぼすための、たとえば、図１の場合のような、モバイルデバイスを使用して実装され得るいくつかの例示的なプロセスを示す流れ図。
【図２Ｂ】いくつかの例示的な実装形態による、１つまたは複数の収集された信号に基づいて地上波ベース送信デバイスを分類するための、場合によっては、それに少なくとも部分的に基づいてＳＰＳ信号探索空間に影響を及ぼすための、たとえば、図１の場合のような、モバイルデバイスを使用して実装され得るいくつかの例示的なプロセスを示す流れ図。
【図３】[0014]いくつかの例示的な実装形態による、１つまたは複数の収集された信号に基づいて地上波ベース送信デバイスのために決定され得る複数の分類間で場合によっては選択するための、たとえば、図１の場合のような、モバイルデバイスを使用して実装され得る例示的なプロセスを示すプロセスフロー図。
【図４】[0015]いくつかの例示的な実装形態による、たとえば、図１の場合のような、モバイルデバイス内でプロビジョニングされ得、および、たとえば、図２Ａ、図２Ｂ、または図３の場合のような、本明細書で提示するプロセスのうちの１つまたは複数の全部または一部を場合によっては実行するための、例示的な専用コンピューティングプラットフォームのいくつかの特徴を示す概略図。
【発明を実施するための形態】
【００１４】
[0016]地上波ベース送信デバイスによって送信され、モバイルデバイスによって収集される１つまたは複数の信号に基づいて地上波ベース送信デバイスの分類を決定するための、モバイルデバイスにおいて実装され得る様々な技法について、本明細書で説明する。いくつかの事例では、そのような決定された分類に基づいて、モバイルデバイスは、モバイルデバイスに搭載された受信機のためのＳＰＳ信号探索空間を決定するか、またはさもなければそれに影響を及ぼし得る。たとえば、本明細書でより詳細に説明するように、いくつかの事例では、周波数不確実性または別の有用なパラメータは決定された分類に対応し得、そのような周波数不確実性または別の有用なパラメータは、少なくとも部分的に、場合によってはＳＰＳ信号探索空間に影響を及ぼすために使用され得る。
【００１５】
[0017]最初の例として、いくつかの実装形態では、モバイルデバイスは、地上波ベース送信デバイスによって送信された信号を収集し得る。いくつかの事例では、そのような収集された信号の全部または一部が、１つまたは複数のＳＰＳ信号の収集のために受信機を構成するか、またはさもなければ調整するために、何らかの方法で使用され得る。そのようなモバイルデバイスは、たとえば、収集された信号から取得され得る１つまたは複数のファクタに少なくとも部分的に基づいて、地上波ベース送信デバイスの分類を決定し得る。たとえば、いくつかの実装形態では、１つまたは複数のファクタ（たとえば、１つまたは複数の指示）は、１つまたは複数の収集された信号中で符号化されるか、またはさもなければ搬送され得る。別の例では、いくつかの実装形態では、１つまたは複数のファクタ（たとえば、１つまたは複数の信号特性）は、測定されるか、またはさもなければ１つまたは複数の収集された信号に基づき得る。そのようなモバイルデバイスは、たとえば、送信デバイスの決定された分類に対応する周波数不確実性に少なくとも部分的に基づいて、受信機のためのＳＰＳ信号探索空間を決定し得る。
【００１６】
[0018]本明細書でより詳細に説明するように、いくつかの例示的な実装形態では、地上波ベース送信デバイスの分類は、複数の異なる予想される送信機デバイス品質レーティングに対応し得る複数の分類から選択され得る。たとえば、モバイルデバイスがフェムトセルトランシーバのサービス範囲を著しく超えるサービス範囲においてサービスされている場合、モバイルデバイスを現在サービスしている地上波ベース送信はフェムトセルまたはピコセルトランシーバでないと推論され得る。消去法のプロセスによって、この特定の地上波ベース送信機は、より小さい周波数不確実性を有する信号を送信するマクロセルをサービスする基地局として分類され得る。
【００１７】
[0019]いくつかの非限定的な例として、いくつかの実装形態では、地上波ベース送信デバイスのための選択可能な分類は、ワイドエリアＢＳ分類、ミディアムレンジＢＳ分類、ローカルエリアＢＳ分類、フェムトＢＳ分類を備え得る。以下でより詳細に説明するように、そのような例示的な分類は、予想される送信機デバイス品質レーティング、特定の業界規格などの潜在的な差、またはそれらの何らかの組合せに対応し得る。いくつかの例示的な実装形態では、追加のまたは他の分類が選択のために与えられ得る。たとえば、いくつかの事例では、非フェムトＢＳ分類、および／または未知のＢＳ分類が与えられ得る。いくつかの実装形態では、ほんの数例を挙げると、１つまたは複数の特定のデバイス製造業者、１つまたは複数の特定のデバイスモデル、１つまたは複数の世代指定されたデバイス／サービス、１つまたは複数のサービス／ネットワークプロバイダエンティティなど、またはそれらの何らかの組合せに対応する、１つまたは複数の他のまたは追加の選択可能な分類が与えられ得る。
【００１８】
[0020]本明細書で提示する例示的な技法を使用して選択され得る様々な分類のうちの１つまたは複数は、いくつかの事例では、あらかじめ定義されるか、または動的に定義（たとえば、追加、削除、変更）され得る。例として、１つまたは複数の分類は、別のデバイスまたはコンピュータ可読媒体からの明示的な更新を介して定義されるか、あるいは場合によっては、モバイルデバイスおよび／または（１つまたは複数の）他のモバイルデバイスの動作履歴／エクスペリエンスなどを介して時間とともに発見／推論され得る。同様に、いくつかの事例では、特定の分類に対応する周波数不確実性および／または他の有用なパラメータが、あらかじめ定義されるか、または動的に定義され得る。
【００１９】
[0021]次に図１に注目すると、図１は、環境１０２内に様々な例示的な電子デバイスを備える例示的な構成１００を示す概略ブロック図である。環境１０２は、モバイルデバイス１０４が位置を特定され、動き回され得る、屋外空間、１つまたは複数の屋内空間、および／またはそれらの何らかの組合せを備え得る。
【００２０】
[0022]モバイルデバイス１０４は、少なくとも環境１０２内で何らかの方法で動かされることが可能な任意の電子デバイスを表し得る。したがって、例として、モバイルデバイス１０４は、セルラー電話、スマートフォン、タブレットコンピュータ、ラップトップコンピュータ、ウェアラブルコンピュータ、ナビゲーションおよび／またはトラッキングデバイスなどを備え得る。図示のように、モバイルデバイス１０４は、本明細書で提供する技法のうちの１つまたは複数を何らかの方法で提供および／またはサポートするように構成され得る装置１０６を備え得る。いくつかの事例では、装置１０６は、ハードウェア／ファームウェア構成要素、または場合によってはハードウェア／ファームウェアおよびソフトウェア構成要素の組合せを備え得る。
【００２１】
[0023]したがって、時々、モバイルデバイス１０４は、（たとえば、それぞれ、基地局（ＢＳ）１０８−１、１０８−２、．．．、１０８−ｎによって表されるように１つまたは複数の地上波ベース送信デバイスからワイヤレス信号（たとえば、アイテム１０９−１、１０９−２、．．．、１０９−ｎ）を収集することが可能であり得る。たとえば、いくつかの事例では、ＢＳ１０８−１は、環境１０２内の１つまたは複数の屋内空間の全部または一部と屋外空間の全部または一部とを含む広大な領域にわたり得る予想されるサービス範囲を有するワイドエリアＢＳ（たとえば、ＷＣＤＭＡ（登録商標）／ＬＴＥ（登録商標）システムにおけるワイドエリア基地局、ＧＳＭ（登録商標）システムにおけるマクロ基地トランシーバ局、ｃｄｍａ２０００システムにおけるマクロセルなど）として分類され得る地上波ベース送信デバイスを備え得る。したがって、そのような例では、移動局１０４は、例示的な環境１０２内で信号１０９−１を収集することが可能であり得る。
【００２２】
[0024]別の例では、いくつかの事例では、ＢＳ１０８−２は、環境１０２の一部分にわたる予想されるサービス範囲を有するミディアムレンジＢＳ（たとえば、ＷＣＤＭＡ／ＬＴＥシステムにおけるミディアムレンジ基地局、ＧＳＭシステムにおけるピコ基地トランシーバ局、ｃｄｍａ２０００システムにおけるピコセルなど）として分類され得る地上波ベース送信デバイスを備え得る。したがって、そのような例では、移動局１０４は、例示的な環境１０２のそのような部分内に位置する間、信号１０９−２を収集することが可能であり得る。ここで、たとえば、ＢＳ１０８−２のための予想されるサービス範囲は、先行する例におけるＢＳ１０８−１のための予想されるサービス範囲よりも小さいことがある。
【００２３】
[0025]また別の例では、いくつかの事例では、ＢＳ１０８−２は、環境１０２の一部分にわたる予想されるサービス範囲を有するローカル範囲ＢＳ（たとえば、ＷＣＤＭＡ／ＬＴＥシステムにおけるローカル範囲基地局、ＧＳＭシステムにおけるピコ基地トランシーバ局、ｃｄｍａ２０００システムにおけるピコセルなど）として分類され得る地上波ベース送信デバイスを備え得る。したがって、そのような例では、移動局１０４は、例示的な環境１０２のそのような部分内に位置する間、信号１０９−２を収集することが可能であり得る。ここで、たとえば、ローカルエリアＢＳとして分類されるＢＳ１０８−２のための予想されるサービス範囲は、いくつかの事例では、先行する例においてミディアムレンジＢＳとして分類されるＢＳ１０８−２のための予想されるサービス範囲よりも小さいことがある。
【００２４】
[0026]さらに別の例では、いくつかの事例では、ＢＳ１０８−ｎは、環境１０２の一層小さい領域にわたる予想されるサービス範囲を有するフェムトＢＳ（たとえば、ＷＣＤＭＡシステムにおけるホームノードＢ（ＨＮＢ：Home Node B）、ＬＴＥシステムにおけるホームｅノードＢ（ＨｅＮＢ：Home eNode B）、ＧＳＭにおけるフェムトセル、ｃｄｍａ２０００システムにおけるフェムトセルなど）として分類され得る送信デバイスを備え得る。したがって、そのような例では、移動局１０４は、ＢＳ１０８−ｎの近くに位置する間、信号１０９−ｎを収集することが可能であり得る。したがって、たとえば、フェムトＢＳとして分類されるＢＳ１０８−ｎのための予想されるサービス範囲は、いくつかの事例では、先行する例においてミディアムレンジＢＳまたはローカルエリアＢＳのいずれかとして分類されるＢＳ１０８−２のための予想されるサービス範囲よりも小さいことがある。
【００２５】
[0027]いくつかの例示的な実装形態では、地上波ベース送信デバイスは、モバイルデバイス１０４におよび／または１つまたは複数の他のデバイスに、接続性、処理、サービスなどの様々な形態を与えるように構成される／それを与えることを可能にされ得る。たとえば、前の例において述べたように、いくつかの事例では、地上波ベース送信デバイスは、様々なセルラーネットワーク／サービスをサポートし得る。いくつかの実装形態では、地上波ベース送信デバイスは、たとえば、場合によっては、少なくとも部分的に、アクセスポイントデバイス、ビーコン送信デバイスなどとしてサービスする、たとえば、様々なワイヤレスネットワーク通信および関係するサービスなど、様々な他のネットワーク／サービスを、代替または追加としてサポートし得る。
【００２６】
[0028]図１に示されているように、ＢＳ１０８−ｎは、通信リンク１０９を介して１つまたは複数のネットワーク１１０に接続され得、１つまたは複数のネットワーク１１０は、通信リンク１１３を介して１つまたは複数の他のデバイス１１２にさらに接続され得る。通信リンク１０９および１１３はワイヤード通信リンクを備えるものとして示されているが、いくつかの事例では、通信リンク１０９および／または１１３はワイヤードおよび／またはワイヤレス通信リンクを備え得ることを理解されたい。実際、たとえば、（１つまたは複数の）ネットワーク１１０は、表されているワイヤレス通信リンク１１１を介して構成１００において１つまたは複数の他のデバイスと通信することが場合によっては可能であるものとして、さらに示されている。したがって、詳細には図示されていないが、ＢＳ１０８−１およびＢＳ１０８−２は、１つまたは複数の通信リンク（ワイヤード、および／またはワイヤレス）を介して（１つまたは複数の）ネットワーク１１０および／または（１つまたは複数の）他のデバイス１１２に接続され得ることを理解されたい。
【００２７】
[0029]（１つまたは複数の）ネットワーク１１０は、ワイヤードおよび／またはワイヤレス電子通信をサポートすることが可能な１つまたは複数の他の電子デバイスおよび／または通信設備および／またはリソースの全部または一部を表すものである。したがって、たとえば、（１つまたは複数の）ネットワーク１１０は、電話網、セルラー電話網、ワイヤレス通信ネットワーク、イントラネット、インターネットなど、またはそれらの何らかの組合せの全部または一部を備え得る。
【００２８】
[0030]いくつかの事例では、環境１０２は、１つまたは複数の衛星測位システム（ＳＰＳ）システム１３０の１つまたは複数のスペースビークル（ＳＶ）１３２によって送信された１つまたは複数のＳＰＳ信号１３４が、様々な干渉する構造、物体などにより時々信頼できなくなるかまたは利用不可能になり得る、屋内空間さらには場合によっては屋外空間の一部分を備え得る。したがって、モバイルデバイス１０４が、１つまたは複数のＳＰＳ信号１３４を探索し、それを収集／再収集することを試みることが、時々必要となり得る。本明細書でより詳細に説明するように、たとえば、装置１０６において、ＳＰＳ信号探索空間を決定するために実装され得る様々な例示的な技法が、本明細書で提供される。いくつかの態様によれば、モバイルデバイス１０４における受信機（たとえば、図４中のＳＰＳ受信機４１８参照）が、地上波ベース送信デバイスから収集された信号に基づいて何らかの方法で調整され得る、その特定の地上波ベース送信デバイスのために選択／決定される分類に対応する周波数不確実性に少なくとも部分的に基づいて、そのようなＳＰＳ信号探索空間を増加または減少させることは、有用であり得る。たとえば、モバイルデバイス１０４がＳＰＳ信号１３４を収集することを試みるべきであることと、モバイルデバイス１０４がＢＳ１０８−１と通信していることがあることとを仮定する。モバイルデバイス１０４は、たとえば、知られている技法を適用してＳＰＳ受信機４１８（図４）を調整するために使用され得る１つまたは複数の信号を、ＢＳ１０８−１から通信リンク１０９−１を介して収集し得る。たとえば、タイミング回路および／または発振器回路が、ＢＳ１０８−１によって送信された１つまたは複数の信号から取得されるキャリア信号などに基づいて調整されるか、またはさもなければ影響を及ぼされ得る。しかしながら、（１つまたは複数の）そのような調整の結果として、ＢＳ１０８−１に対応する周波数不確実性は、モバイルデバイス１０４における受信機（ＳＰＳ受信機４１８）に何らかの方法で伝えられ得、それは、今度は後続のＳＰＳ信号探索／収集プロセスに影響を及ぼし得る。
【００２９】
[0031]しかしながら、地上波ベース送信デバイスを分類することによって、少なくとも部分的に、ＳＰＳ信号探索空間を決定する際に考慮され得る、対応する周波数不確実性を識別することが可能であり得る。したがって、いくつかの事例では、ＳＰＳ信号探索空間は、第１の周波数不確実性に応答して第１の形態、第２の周波数不確実性に応答して第２の形態、第３の周波数不確実性に応答して第３の形態などをとり得る。例として、ＳＰＳ信号探索空間の１つまたは複数の境界は、特定の周波数不確実性の大きさまたは他の同様のアスペクトに少なくとも部分的に基づいて、増加または減少させられ得る。そのような方法でＳＰＳ信号探索空間を決定することによって、モバイルデバイス１０４が、場合によっては（１つまたは複数の）ＳＰＳ信号の収集の速度を上げ、電力消費を低減し、および／または他の有益な結果の可能性を与え得る処理リソースの使用を、より良く適応させることが可能となり得る。
【００３０】
[0032]次に図２Ａに注目すると、図２Ａは、地上波ベース送信デバイスの分類を決定し、そのような分類に少なくとも部分的に基づいてＳＰＳ信号探索空間を決定するために実装され得る例示的なプロセス２００を示す流れ図である。例として、プロセス２００は、モバイルデバイス１０４および／またはその中にプロビジョニングされる（provisioned）装置１０６によって全体的にまたは部分的に実装され得る。
【００３１】
[0033]例示的なブロック２０２において、モバイルデバイスは、地上波ベース送信デバイスによって送信された１つまたは複数のワイヤレス信号を収集する。上述のように、そのような収集された信号の全部または一部は、たとえば、１つまたは複数のＳＰＳ信号を収集する試みのためにモバイルデバイスの受信機に影響を及ぼすか、またはさもなければそれを調整するために、モバイルデバイスによって使用され得る。
【００３２】
[0034]例示的なブロック２０４において、ブロック２０２において収集された信号のうちの１つまたは複数の全部または一部から取得され得る１つまたは複数のファクタに少なくとも部分的に基づいて、地上波ベース送信デバイスの分類を決定する。上述のように、いくつかの事例では、１つまたは複数のファクタの全部または一部は、収集された信号のうちの１つまたは複数中で符号化され、たとえば、（１つまたは複数の）そのような信号を復号するか、またはさもなければ処理することによって取得され得る。いくつかの事例では、１つまたは複数のファクタの全部または一部は、１つまたは複数の収集された信号の全部または一部の１つまたは複数の測定された信号特性として取得され得る。
【００３３】
[0035]例示的なブロック２０６において、送信デバイスの分類に対応する周波数不確実性および／または他の有用なパラメータに少なくとも部分的に基づいて、モバイルデバイスにおける受信機のためのＳＰＳ信号探索空間を決定する。上述のように、ＳＰＳ信号探索空間の形態は、送信デバイスの分類に対応する周波数不確実性および／または他の有用なパラメータに少なくとも部分的に応じて異なり得る。
【００３４】
[0036]次に図２Ｂに注目すると、図２Ｂは、地上波ベース送信デバイスの分類を決定し、そのような分類に少なくとも部分的に基づいてＳＰＳ信号探索空間を決定するために実装され得る例示的なプロセス２００’を示す流れ図である。例として、プロセス２００’は、モバイルデバイス１０４および／またはその中にプロビジョニングされる装置１０６によって全体的にまたは部分的に実装され得る。図２Ａのプロセス２００と盛装して、例示的なプロセス２００’は、追加の例示的なブロック２１０、２１２、２１４、および２１６を備え、ここにおいて、例示的なブロック２１０、２１２および２１４が、いくつかの事例では、例示的なブロック２０４’の一部として実行され得る。
【００３５】
[0037]例示的なブロック２０２において、モバイルデバイスは、地上波ベース送信デバイスによって送信された１つまたは複数のワイヤレス信号を収集する。そのような収集された信号の全部または一部は、たとえば、１つまたは複数のＳＰＳ信号を収集する試みのためにモバイルデバイスの受信機に影響を及ぼすか、またはさもなければそれを調整するために、モバイルデバイスによって使用され得る。
【００３６】
[0038]例示的なブロック２０４’において、ブロック２０２において収集された信号のうちの１つまたは複数の全部または一部から取得され得る１つまたは複数のファクタに少なくとも部分的に基づいて、地上波ベース送信デバイスの分類を決定する。
【００３７】
[0039]例示的なブロック２１０において、いくつかの事例では、収集された信号のうちの１つまたは複数中で符号化され得る１つまたは複数のファクタの全部または一部を、たとえば、（１つまたは複数の）そのような信号を復号するか、またはさもなければ処理することによって取得する。本明細書でより詳細に説明するように、いくつかの事例では、１つまたは複数のインジケータは、ソース地上波送信デバイスをどのように分類し得るかについて（明確にまたは他の方法で）示し得る信号から取得され得る。たとえば、いくつかの事例では、インジケータは、選択可能な分類を示し得る、地上波ベース送信デバイスの送信電力設定を明確にまたは他の方法で示す送信されたメッセージ中で符号化され得る。たとえば、いくつかの事例では、インジケータは、選択可能な分類を示し得る、地上波ベース送信デバイスの何らかの識別子または特定の特徴／態様を明確にまたは他の方法で示す送信されたメッセージ中で符号化され得る。
【００３８】
[0040]例示的なブロック２１２において、いくつかの事例では、１つまたは複数のファクタの全部または一部を、１つまたは複数の収集された信号の全部または一部の１つまたは複数の測定された信号特性として取得する。本明細書でより詳細に説明するように、いくつかの事例では、１つまたは複数の受信電力レベル測定値、時間伝搬測定値など、またはそれらの何らかの組合せは、１つまたは複数の収集された信号から取得され得、それらは、単独でまたは送信電力などの他の情報と組み合わせて、ソース地上波送信デバイスをどのように分類し得るかについて（明確にまたは他の方法で）示し得る。たとえば、いくつかの事例では、１つまたは複数の測定された信号特性は、選択可能な分類に対応し得る１つまたは複数の適用可能なしきい値（たとえば、静的または動的値、範囲など）と比較し得る。
【００３９】
[0041]例示的なブロック２１４において、いくつかの事例では、複数の分類から１つの分類を選択する。たとえば、上述のように、いくつかの実装形態では、地上波ベース送信デバイスのための選択可能な分類は、ほんのいくつかの非例を挙げると、ワイドエリアＢＳ分類、ミディアムレンジＢＳ分類、ローカルエリアＢＳ分類、フェムトＢＳ分類、非フェムトＢＳ分類、未知のＢＳ分類を備え得る。本明細書で提示する例のすべてと同様に、請求する主題は、必ずしもそのように制限されることを意図されるとは限らない。
【００４０】
[0042]例示的なブロック２０６において、送信デバイスの分類に対応する周波数不確実性および／または他の有用なパラメータに少なくとも部分的に基づいて、モバイルデバイスにおける受信機のためのＳＰＳ信号探索空間を決定する。上述のように、ＳＰＳ信号探索空間の形態は、送信デバイスの分類に対応する周波数不確実性および／または他の有用なパラメータに少なくとも部分的に応じて異なり得る。
【００４１】
[0043]例示的なブロック２１６において、例示的なブロック２１６において決定されたようなＳＰＳ信号探索空間に少なくとも部分的に基づいて、１つまたは複数のＳＰＳ信号の探索を開始し、および／または他方実行する。
【００４２】
[0044]次に図３に注目すると、図３は、１つまたは複数の収集された信号に基づいて地上波ベース送信デバイスのために決定され得る複数の分類間で場合によっては選択するための、たとえば、図１の場合のような、モバイルデバイスを使用して実装され得る例示的なプロセスを示すプロセスフロー図である。例として、プロセス３００は、モバイルデバイス１０４および／またはその中にプロビジョニングされる装置１０６によって全体的にまたは部分的に実装され得る。例として、プロセス３００は、例示的なブロック２０４（図２Ａ）、例示的なブロック２０４’、２１０、２１２および／または２１４（図２Ｂ）において全体的にまたは部分的に実装され得る。
【００４３】
[0045]例示的なブロック３０２において、地上波ベース送信デバイスからの１つまたは複数の収集された信号中で符号化されたか、またはさもなければ与えられた（１つまたは複数の）分類指示があり得るかどうかに関する決定が行われ得る。ここで、たとえば、「分類」指示は、地上波ベース送信デバイスが特定の分類に一致することを（明確にまたは他の方法でより直接的に）示し得る情報を備え得る。たとえば、いくつかの事例では、地上波ベース送信デバイスは、特定の選択可能な分類に対応する基準に一致するように見える地上波ベース送信デバイスの特定の特徴／態様を示し得る情報を、メッセージ、ヘッダなどの１つまたは複数のフィールド中で符号化し得る。１つの明らかな技法は、取得された分類指示が、特定の選択可能な分類を単純に（明確に）識別するためのものであり得る。たとえば、特定の選択可能な分類が「ワイドエリアＢＳ」である場合、分類指示は、たとえば、名前または何らかの対応する値によって、そのように単純に示し得る。別の技法は、取得された分類指示が、地上波ベース送信デバイスが特定の分類のための何らかの基準に一致すると推論することをそれの性質上可能にし得る、たとえば、送信信号電力値など、何らかの他の情報を識別するためのものであり得る。たとえば、選択可能な「ワイドエリアＢＳ」のための基準（たとえば、しきい値、範囲など）は、地上波ベース送信デバイスによって報告された送信された電力レベルが、値Ａよりも大きい（または場合によっては値Ａから値Ｂの間）ことを、を示し得る。
【００４４】
[0046]特定の例では、（第３世代パートナーシッププロジェクト技術仕様書３６．３３１（３ＧＰＰ（登録商標）  ＴＳ３６．３３１）からの以下で示されている）メッセージ構造は、システム情報ブロック２（ＳＩＢ２）が「ｒｅｆｅｒｅｎｃｅＳｉｇｎａｌＰｏｗｅｒ」整数値（すなわち、−６０から５０の間）を示し得ることを示す。
【００４５】
【数１】
2017531177.tif 000002
【００４６】
[0047]したがって、たとえば、Ｓｉｂ２フィールド中のｒｅｆｅｒｅｎｃｅＳｉｇｎａｌＰｏｗｅｒは、送信電力レベルを表す整数値に対応し得る。（たとえば以下で表１に示すような）現在の例示的な規格合意、および／または場合によっては政府規制などに基づいて、地上波ベース送信デバイスのいくつかの例示的な分類への送信電力に対する制限があり得る（この場合も、請求する主題は、必ずしもそのように制限されることを意図されるとは限らない）。
【００４７】
【表１】
2017531177.tif 000003
【００４８】
[0048]したがって、ブロック３０２における決定が「はい」である場合、プロセス３００は例示的なブロック３０４に進み得、ここにおいて、適用可能な分類を選択する。ここで、非限定的な例として、分類は、１つまたは複数の分類指示に少なくとも部分的に基づいて、ワイドエリアＢＳ、ミディアムレンジＢＳ、ローカルＢＳ、またはフェムトＢＳから選択され得る。次いで、プロセス３００は終了し得る。逆に、ブロック３０２における決定が「いいえ」である場合、プロセス３００は例示的なブロック３０６に進み得る。
【００４９】
[0049]例示的なブロック３０６において、地上波ベース送信デバイスからの１つまたは複数の収集された信号中で符号化されたか、またはさもなければ与えられた（１つまたは複数の）非分類指示があり得るかどうかに関する決定が行われ得る。ここで、たとえば、「非分類」指示は、地上波ベース送信デバイスが１つまたは複数の潜在的分類に一致するかどうかを示し得る情報を備え得る。
【００５０】
[0050]たとえば、いくつかの事例では、地上波ベース送信デバイスは、地上波ベース送信デバイスのサポートされるべき特定の意図された加入者、グループなどを示し得る情報を、メッセージ、ヘッダなどの１つまたは複数のフィールド中で符号化し得る。特定の例では、１つまたは複数の選択可能な分類を示唆するか、またはさもなければ促進し得る（あるいは逆に除去または低減するように働き得る）、ＵＭＴＳ／ＬＴＥシステムの限定加入者グループ（ＣＳＧ：closed subscriber group）パラメータおよび／または何らかの他の形態の識別情報が取得され得る。たとえば、ＣＳＧパラメータは、特定の選択可能な分類「フェムトＢＳ」が、地上波ベース送信デバイスが限定／ハイブリッドモードホーム基地局（たとえば、ＨＮＢ、ＨｅＮＢなど）を備え得ることを場合によっては示すものとして適切であり得ることを示し得る。別の例では、いくつかの事例では、地上波ベース送信デバイスは、地上波ベース送信デバイスに適用可能であり得る（または適用可能でないことがある）、特定の地上波ベース送信デバイス、モデル、製造業者、サービスプロバイダ、いくつかの送信機特徴／態様などを示し得る情報を、メッセージ、ヘッダなどの１つまたは複数のフィールド中で符号化し得る。たとえば、１つまたは複数の分類を選択することに有利な証拠または場合によってはそれに不利な証拠として働き得る、ネットワーク識別子、周波数、ＷＣＤＭＡにおけるロケーションエリアコードおよびプライマリスクランブリングコード、ＬＴＥにおけるトラッキングエリアコードおよび物理セルＩＤなどが与えられ得る。
【００５１】
[0051]したがって、ブロック３０６における決定が「はい」である場合、プロセス３００は例示的なブロック３０８に進み得、ここにおいて、（１つまたは複数の）非分類指示をサポートする（たとえば、実証する、テストする、支持するなど）ために使用され得る情報が利用可能であるかどうかに関するさらなる決定が行われ得る。図示のように、ブロック３０８における決定が「はい」である場合、プロセス３００は例示的なブロック３０４に進み得、ここにおいて、適用可能な分類を選択する。ここで、非限定的な例として、分類は、１つまたは複数の非分類指示に少なくとも部分的に基づいて、ワイドエリアＢＳ、ミディアムレンジＢＳ、ローカルＢＳ、またはフェムトＢＳから選択され得る。次いで、プロセス３００は終了し得る。
【００５２】
[0052]ブロック３０６またはブロック３０８のいずれかにおける決定が「いいえ」である場合、プロセス３００は例示的なブロック３１０に進み得る。例示的なブロック３１０において、収集された信号のうちの１つまたは複数から取得される１つまたは複数の測定された信号特性が利用可能であり得るかどうかに関する決定が行われ得る。いくつかの事例では、モバイルデバイスは、いくつかの信号測定の全部または一部を実行し得る。いくつかの事例では、別のデバイス（たとえば、地上波ベース送信デバイス）が、いくつかの信号測定の全部または一部を実行し得る。いくつかの実装形態では、１つまたは複数のそのような測定された信号特性は、ブロック３１０の一部として、収集された信号のうちの１つまたは複数から取得され得る。いくつかの非限定的な例として、いくつかの実装形態では、測定された信号特性は、測定された信号電力（たとえば、受信信号強度インジケータ（ＲＳＳＩ）、基準信号受信電力（ＲＳＲＰ）など）、測定された伝搬および／または処理時間／遅延（たとえば、タイミングアドバンス（ＴＡ）、ラウンドトリップ時間（ＲＴＴ）など）、および／または経路損失、範囲などを示し得る他の同様の測定可能な特性、あるいはそれらの何らかの組合せを備えるか、またはさもなければそれらに少なくとも部分的に基づき得る。
【００５３】
[0053]特定の一実施形態では、キャリアは、シンボルまたは値（たとえば、物理セルＩＤ（ＰＣＩ））の範囲を特定のタイプのセルラートランシーバに割り振り得る。たとえば、そのようなキャリアは、ＰＣＩの１つの範囲をフェムトセルトランシーバに割り振り、ＰＣＩの第２の範囲を、マクロセルをサービスするセルラー基地局に割り振り得る。特定の実装形態では、ブロック３０８は、特定のキャリアが、（たとえば、上記の例に従って）トランシーバの異なる分類の間でＰＣＩの範囲をどのように割り振ったかの指示に、（たとえば、ローカルに記憶されるデータベースを介して）アクセスし得る。特定のキャリアの識別情報を用いて、地上波ベース送信デバイスの分類は、収集された信号から取得される特定のシンボルまたは値が、地上波ベース送信デバイスの特定の分類に割り振られたシンボルまたは値の範囲内にあるかどうかに少なくとも部分的に基づいて決定され得る。ここで、ブロック３０８は、最初に、収集された信号を送信する特定のキャリア事業者を識別し、次いで、識別されたキャリアに基づいて、その特定のキャリア事業者が、トランシーバの異なる分類の間でＰＣＩの範囲をどのように割り振ったかの指示を取得し得る。
【００５４】
[0054]上述のように、それは、地上波ベース送信デバイスのための分類を決定／選択する際の証拠としてのそのような測定された信号特性のために可能であり得る。したがって、ブロック３１０における決定が「はい」である場合、プロセス３００は例示的なブロック３１２に進み得る。しかしながら、ブロック３１０における決定が「いいえ」である場合、プロセス３００は例示的なブロック３１４に進み得る。
【００５５】
[0055]例示的なブロック３１２において、１つまたは複数の測定された信号特性が１つまたは複数の適用可能な「分類」しきい値を満たすことがあるのか、満たさないことがあるのかに関する決定が行われ得る。たとえば、分類しきい値は、地上波ベース送信デバイスが１つまたは複数の分類に対応する可能性が高いかどうかに関する指示であり得る測定された信号特性の値または範囲に対応し得る。したがって、たとえば、ブロック３１２において、地上波送信デバイスが、フェムトＢＳとして分類される（したがって、ブロック３１２に対する答えが「はい」であり得る）か、または逆に非フェムトＢＳとして分類される（したがって、ブロック３１２に対する答えが「いいえ」であり得る）可能性が高いのか低いのかを決定することが可能であり得る。
【００５６】
[0056]ブロック３１２における決定が「はい」である場合、プロセス３００は例示的なブロック３０４に進み得、ここにおいて、適用可能な分類を選択する。ここで、非限定的な例として、分類は、１つまたは複数の非分類指示に少なくとも部分的に基づいて、ワイドエリアＢＳ、ミディアムレンジＢＳ、ローカルＢＳ、またはフェムトＢＳから選択され得る。次いで、プロセス３００は終了し得る。
【００５７】
[0057]ブロック３１２における決定が「いいえ」である場合、プロセス３００は例示的なブロック３１６に進み得、ここにおいて、たとえば、非フェムトＢＳなどの適用可能な分類を選択する。次いで、プロセス３００は終了し得る。
【００５８】
[0058]ブロック３１０に戻ると、決定が「いいえ」である場合、プロセス３００は例示的なブロック３１４に進み得、ここにおいて、たとえば、未知のＢＳなど（デフォルト値）の適用可能な分類を選択する。次いで、プロセス３００は終了し得る。
【００５９】
[0059]したがって、地上波ベース送信デバイスのための分類は、１つまたは複数の収集された信号から取得される１つまたは複数のファクタに少なくとも部分的に基づいて、（たとえば、例示的なブロック２０６（図２Ａおよび図２Ｂ）、および／あるいは例示的なブロック３０４、３１４または３１６（図３）ごとに）決定／選択され得る。本明細書で提供する技法の一態様によれば、周波数不確実性あるいは他の同様のまたは有用なパラメータが、選択された分類に対応するものとして識別され得る。そのような周波数不確実性あるいは（１つまたは複数の）他の同様のまたは有用なパラメータは、静的であるか、または、動的に維持され、場合によっては他のデバイスを用いた外部テストに基づいて決定され、時間とともに学習され、１つまたは複数の機能によって表され得、いくつかの他の考慮事項（たとえば、ローカルモバイルデバイス温度、モバイルデバイスの動き、送信／回路に影響を及ぼし得るいくつかの環境条件、業界／規格の変化など）に応じて変動し得る。
【００６０】
[0060]一例として、以下で表２〜表４に示すように、いくつかの事例では、（相対）周波数不確実性は、地上波ベース送信デバイスのいくつかの例示的な分類が、それに従うように設計され得る／それに従うことを意図され得る現在の（規格／合意）周波数誤差最小要件を表し得る（この場合も、請求する主題は、必ずしもそのように制限されることを意図されるとは限らない）。
【００６１】
【表２】
2017531177.tif 000004
【００６２】
【表３】
2017531177.tif 000005
【００６３】
【表４】
2017531177.tif 000006
【００６４】
[0061]次に図４に注目すると、図４は、いくつかの例示的な実装形態による、モバイルデバイス１０４および／または装置１０６内でプロビジョニングされ得る例示的な専用コンピューティングプラットフォーム４００のいくつかの特徴を示す概略図である。
【００６５】
[0062]図示のように、特殊コンピューティングプラットフォーム４００は、１つまたは複数の接続４０６（たとえば、１つまたは複数の電気導体、１つまたは複数の導電性経路、１つまたは複数のバス、１つまたは複数の光ファイバー経路、１つまたは複数の回路、１つまたは複数のバッファ、１つまたは複数の送信機、１つまたは複数の受信機など）を介してメモリ４０４に結合された（たとえば、本明細書で提供するいくつかの技法によるデータ処理を実行するための）１つまたは複数の処理ユニット４０２を備え得る。（１つまたは複数の）処理ユニット４０２は、たとえば、ハードウェアまたはハードウェアとソフトウェアとの組合せで実装され得る。（１つまたは複数の）処理ユニット４０２は、データコンピューティング手順またはプロセスの少なくとも一部分を実行するように構成可能な１つまたは複数の回路を表し得る。限定ではなく例として、処理ユニットは、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。（１つまたは複数の）処理ユニット４０２は、たとえば、（１つまたは複数の）アプリケーションに対応するコンピュータ実装可能命令を実行し得る。
【００６６】
[0063]メモリ４０４は任意のデータ記憶機構を表し得る。メモリ４０４は、たとえば、１次メモリ４０４−１および／または２次メモリ４０４−２を含み得る。１次メモリ４０４−１は、たとえば、ランダムアクセスメモリ、読取り専用メモリなどを備え得る。この例では処理ユニットとは別個のものとして示されているが、１次メモリの全部または一部は、モバイルデバイス１０４内の処理ユニット４０２または他の同様の回路内に設けられるか、あるいはさもなければそのような回路と共設および結合され得ることを理解されたい。２次メモリ４０４−２は、たとえば、１次メモリと同じまたは同様のタイプのメモリ、および／または１つまたは複数のデータ記憶デバイスまたはシステム、たとえば、ディスクドライブ、光ディスクドライブ、テープドライブ、固体動き状態メモリドライブなどを備え得る。
【００６７】
[0064]いくつかの実装形態では、２次メモリは、非一時的コンピュータ可読媒体４２０を動作可能に受容可能であるか、またはさもなければそれに結合するように構成され得る。メモリ４０４および／または非一時的コンピュータ可読媒体４２０は、たとえば、本明細書で提供する適用可能な技法による、データ処理を実行する際に使用するための命令４２２を備え得る。
【００６８】
[0065]専用コンピューティングプラットフォーム４００は、たとえば、１つまたは複数の通信インターフェース４０８をさらに備え得る。通信インターフェース４０８は、たとえば、１つまたは複数の受信機４１０と１つまたは複数の送信機４１２とによってここで表される、１つまたは複数のワイヤードおよび／またはワイヤレスネットワークインターフェースユニット、無線機、モデムなどを備え得る。いくつかの実装形態では、通信インターフェース４０８は１つまたは複数のトランシーバなどを備え得ることを理解されたい。さらに、図示されていないが、通信インターフェース４０８は、通信インターフェース能力を前提として適用可能であり得るような１つまたは複数のアンテナおよび／または他の回路を備え得ることを理解されたい。
【００６９】
[0066]いくつかの例示的な実装形態によれば、通信インターフェース４０８は、たとえば、様々なワイヤード通信ネットワーク、たとえば、電話システム、ローカルエリアネットワーク、ワイドエリアネットワーク、パーソナルエリアネットワーク、イントラネット、インターネットなどとともに使用することが可能にされ得る。
【００７０】
[0067]いくつかの例示的な実装形態によれば、通信インターフェース４０８は、たとえば、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）など、様々なワイヤレス通信ネットワークとともに使用することが可能にされ得る。「ネットワーク」および「システム」という用語は、本明細書では互換的に使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ（登録商標））、時分割同期符号分割多元接続（ＴＤ−ＳＣＤＭＡ）などの１つまたは複数の無線アクセス技術（ＲＡＴ）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（ＧＳＭ：Global System for Mobile Communications）、デジタルアドバンストモバイルフォンシステム（Ｄ−ＡＭＢＰ：Digital Advanced Mobile Phone System能力）、または何らかの他のＲＡＴを実装し得る。ＧＳＭおよびＷ−ＣＤＭＡは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。３ＧＰＰおよび３ＧＰＰ２の文書は公的に入手可能である。たとえば、ＷＬＡＮはＩＥＥＥ８０２．１１ｘネットワークを含み得、ＷＰＡＮは、Ｂｌｕｅｔｏｏｔｈ（登録商標）ネットワーク、ＩＥＥＥ８０２．１５ｘを含み得る。ワイヤレス通信ネットワークは、たとえば、ロングタームエボリューション（ＬＴＥ：Long Term Evolution）、アドバンストＬＴＥ、ＷｉＭＡＸ（登録商標）、ウルトラモバイルブロードバンド（ＵＭＢ：Ultra Mobile Broadband）など、いわゆる次世代技術（たとえば、「４Ｇ」）を含み得る。さらに、（１つまたは複数の）通信インターフェース４０８は、１つまたは複数の他のデバイスとの赤外線ベース通信をさらに提供し得る。ＷＬＡＮは、たとえば、ＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明したワイヤレス通信実装形態はまた、ＷＷＡＮ、ＷＬＡＮまたはＷＰＡＮの任意の組合せとともに使用され得る。
【００７１】
[0068]モバイルデバイス１０４は、たとえば、１つまたは複数の入力および／または出力ユニット４１４をさらに備え得る。入力および／または出力ユニット４１４は、１つまたは複数の他のデバイスおよび／またはユーザから入力を取得し、および／またはそれに出力を与えるために使用され得る１つまたは複数のデバイスまたは他の同様の機構を表し得る。したがって、たとえば、入力および／または出力ユニット４１４は、１つまたは複数のユーザ入力を受信するために使用され得る様々なボタン、スイッチ、タッチパッド、トラックボール、ジョイスティック、タッチスクリーン、キーボード、マイクロフォン、カメラなどを備え得る。いくつかの事例では、入力および／または出力ユニット４１４は、ユーザのための視覚出力、可聴出力、および／または触覚出力を生成する際に使用され得る様々なデバイスを備え得る。たとえば、入力および／または出力ユニット４１４は、ディスプレイ機構および／またはオーディオ機構を介して、ビデオディスプレイ、グラフィカルユーザインターフェース、測位および／またはナビゲーション関係情報、電子マップの視覚表示、ルーティング方向などを提示するために使用され得る。
【００７２】
[0069]モバイルデバイス１０４は、たとえば、１つまたは複数のセンサー４１６を備え得る。たとえば、（１つまたは複数の）センサー４１６は、測位のために有用であり得る、たとえば、磁力計またはコンパス、気圧計または高度計など、１つまたは複数の環境センサーを表し得る。たとえば、（１つまたは複数の）センサー４１６は、モバイルデバイス１０４の一定の移動を検出する際に有用であり得る１つまたは複数の慣性センサーを表し得る。したがって、たとえば、（１つまたは複数の）センサー４１６は、１つまたは複数の加速度計、１つまたは１つまたは複数のジャイロスコープを備え得る。さらに、いくつかの事例では、（１つまたは複数の）センサー４１６は、マイクロフォン、カメラ、光センサーなどの１つまたは複数の入力デバイスを備え、および／またはそれらの形態をとり得る。
【００７３】
[0070]ＳＰＳ受信機４１８は、１つまたは複数のアンテナ（図示せず）を介してＳＰＳ信号１３４を収集および収集することが可能であり得る。ＳＰＳ受信機４１８はまた、モバイルデバイス１０４の位置および／または動きを推定するためのＳＰＳ信号１３４を全体的にまたは部分的に処理し得る。いくつかの事例では、ＳＰＳ受信機４１８は、収集されたＳＰＳ信号を全体的にまたは部分的に処理するため、および／またはモバイルデバイス１０４の推定ロケーションを計算するためにも利用され得る１つまたは複数の処理ユニット（図示せず）、たとえば、１つまたは複数の汎用プロセッサ、１つまたは複数のデジタル信号プロセッサＤＳＰ、１つまたは複数の専用プロセッサを備え得る。いくつかの実装形態では、収集されたＳＰＳ信号のそのような処理の全部または一部は、ＳＰＳ受信機４１８と連携して、たとえば、（１つまたは複数の）処理ユニット４０２、メモリ４０４など、モバイルデバイス１０４内の他の処理能力によって実行され得る。ＳＰＳまたは測位動作を実行する際に使用するための他の信号の記憶は、メモリ４０４またはレジスタ（図示せず）中で実行され得る。
【００７４】
[0071]いくつかの事例では、（１つまたは複数の）センサー４１６は、１つまたは複数の測位機能に少なくとも部分的に基づいて、たとえば、測位またはナビゲーション動作を対象とするアプリケーションなど、１つまたは複数のアプリケーションをサポートする、メモリ４０４に記憶され、（１つまたは複数の）ＤＰＳ（図示せず）または（１つまたは複数の）処理ユニット４０２によって処理され得る、アナログまたはデジタル信号を生成し得る。
【００７５】
[0072]（１つまたは複数の）処理ユニット４０２は、通信インターフェース４０８の（１つまたは複数の）受信機４１０またはＳＰＳ受信機４１８において収集され、ダウンコンバートされた信号のベースバンド処理を実行することが可能であり得る専用モデムプロセッサなどを備え得る。同様に、モデムプロセッサなどは、（１つまたは複数の）（ワイヤレス）送信機４１２による送信のためにアップコンバートされるべき信号のベースバンド処理を実行し得る。代替実装形態では、専用モデムプロセッサを有する代わりに、ベースバンド処理は汎用プロセッサまたはＤＳＰ（たとえば、汎用および／またはアプリケーションプロセッサ）によって実行され得る。ただし、これらはベースバンド処理を実行し得る構造の例にすぎず、請求する主題はこの点について限定されないことを理解されたい。その上、本明細書で提供する例示的な技法は、様々な異なる電子デバイス、モバイルデバイス、送信デバイス、環境、位置フィックスモードなどのために適応され得ることを理解されたい。
【００７６】
[0073]特定の実装形態では、モバイルデバイス１０４の上記で説明した特徴は、図２Ａに示されたプロセス２００に記載された１つまたは複数のアクションを実行し得る。たとえば、ブロック２０２において信号を収集するためのアクションは、通信インターフェース４０８の（１つまたは複数の）受信機４１０において実行され得る。メモリ４０４と組み合わせた（１つまたは複数の）処理ユニット４０２は、ブロック２０４において収集された信号を送信する送信デバイスの分類を決定し得る。たとえば、メモリ４０４と組み合わせた（１つまたは複数の）処理ユニット４０２は、ブロック２０２において収集された信号の１つまたは複数のファクタに少なくとも部分的に基づいて、そのような分類を決定し得る。メモリ４０４と組み合わせた（１つまたは複数の）処理ユニット４０２は、次いで、送信デバイスの分類に対応する周波数不確実性に少なくとも部分的に基づいて、受信機（たとえば、ＳＰＳ受信機４１８）のためのＳＰＳ信号探索空間を決定するために、ブロック２０６に記載されたオンまたは複数のアクションを実行し得る。
【００７７】
[0074]本明細書で説明した技法は、特定の特徴および／または例に従って適用例に応じて様々な手段によって実装され得る。たとえば、そのような方法は、ソフトウェアとともにハードウェア、ファームウェア、および／またはそれらの組合せで実装され得る。ハードウェア実装形態では、たとえば、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他のデバイスユニット、および／またはそれらの組合せ内に実装され得る。
【００７８】
[0075]上記の詳細な説明では、請求する主題の完全な理解を与えるために多数の具体的な詳細を記載した。ただし、請求する主題は、これらの具体的な詳細なしに実施され得ることが当業者には理解されよう。他の事例では、請求する主題を不明瞭にしないように、当業者に知られているであろう方法および装置については詳細に説明していない。
【００７９】
[0076]上記の詳細な説明のいくつかの部分は、特定の装置あるいは専用コンピューティングデバイスまたはプラットフォームのメモリ内に記憶された２値デジタル電子信号の演算のアルゴリズムまたは記号表現に関して提示した。この特定の明細書のコンテキストでは、特定の装置などの用語は、プログラムソフトウェアからの命令に従って特定の機能を実行するようにプログラムされた後の汎用コンピュータを含む。アルゴリズム記述または記号表現は、信号処理または関連技術の当業者がそれらの仕事の本質を他の当業者に伝達するために使用する技法の例である。アルゴリズムは、本明細書では、および一般には、所望の結果をもたらす自己無撞着な一連の演算または同様の信号処理であると考えられる。このコンテキストでは、演算または処理は物理量の物理的操作を伴う。一般に、必ずしもそうとは限らないが、そのような量は、情報を表す電子信号として記憶、転送、合成、比較、またはさもなければ操作されることが可能な電気信号または磁気信号の形態をとり得る。主に一般的な用法という理由で、そのような信号をビット、データ、値、要素、記号、文字、項、数、数字、情報などと呼ぶことが時々便利であることがわかっている。ただし、これらまたは同様の用語のすべては、適切な物理量に関連付けられるべきであり、便宜的なラベルにすぎないことを理解されたい。別段に動き明記されていない限り、以下の説明から明らかなように、本明細書全体にわたって、「処理すること」、「算出すること」、「計算すること」、「決定すること」、「生成すること」、「取得すること」、「修正すること」、「選択すること」、「識別すること」などの用語を利用する説明は、専用コンピュータまたは同様の専用電子コンピューティングデバイスなど、特定の装置のアクションまたはプロセスを指すことを諒解されたい。したがって、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、電子的または磁気的な物理量として一般に表される信号を操作または変換することが可能である。この特定の特許出願のコンテキストでは、「特定の装置」という用語は、プログラムソフトウェアからの命令に従って特定の機能を実行するようにプログラムされた後の汎用コンピュータを含み得る。
【００８０】
[0077]本明細書で使用する「および」、「または」、および「および／または」という用語は、そのような用語が使用されるコンテキストに少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、Ｂ、またはＣを意味するものとする。さらに、本明細書で使用する「１つまたは複数の」という用語は、単数形の任意の特徴、構造、または特性について説明するために使用され得るか、あるいは複数の特徴、構造または特性、あるいは特徴、構造または特性の何らかの他の組合せについて説明するために使用され得る。ただし、これは例示的な例にすぎないこと、および請求する主題はこの例に限定されないことに留意されたい。
【００８１】
[0078]現在例示的な特徴と考えられることについて例示し説明したが、請求する主題から逸脱することなく、様々な他の変更が行われ得、均等物が代用され得ることが、当業者には理解されよう。さらに、本明細書で説明した中心概念から逸脱することなく、請求する主題の教示に特定の状況を適合させるために多くの変更を行い得る。
【００８２】
[0079]したがって、請求する主題は、開示された特定の例に限定されず、そのような請求する主題はまた、添付の特許請求の範囲内に入るすべての態様とそれらの均等物とを含み得るものとする。
【図１】
2017531177.tif 000007
【図２Ａ】
2017531177.tif 000008
【図２Ｂ】
2017531177.tif 000009
【図３】
2017531177.tif 000010
【図４】
2017531177.tif 000011
【国際調査報告】
2017531177.tif 000012
2017531177.tif 000013